(57)【要約】      （修正有）【課題】顔等の肌の色を、他人の手を借りること無く簡単に測定することが可能で、美しい化粧や、似合う服装に寄与できる、測色孔の周囲に複数の色票を配置し、測色孔の中、あるいは周囲の肌の色と色票の視感同定を行うことができる肌色色票集を提供する。【解決手段】顔等の肌の色彩を、他人の手を借りること無く簡単に測定が可能な、美しい化粧や、似合う服装に寄与する、測色孔２の周囲に複数の塗装により作成した肌色色票３を配置し、測色孔の中、あるいは周囲の肌の色と肌色色票の視感同定を行うことができる肌色色票集で、使いやすさを高めるために、回転出来るように複数の頁を一個のネジ・鳩目・紐など８により綴じたことを特徴とする。【選択図】図１
0003187516.tif 000002
【実用新案登録請求の範囲】
【請求項１】
顔等の肌の色彩を、他人の手を借りること無く簡単に測定が可能な、美しい化粧や、似合う服装に寄与する、測色孔の周囲に複数の塗装により作成した肌色色票を配置し、測色孔の中、あるいは周囲の肌の色と肌色色票の視感同定を行うことができる肌色色票集で、使いやすさを高めるために必要に応じて、回転出来るように複数の頁を一個のネジ・鳩目・紐などにより綴じた肌色色票集。
【考案の詳細な説明】
【技術分野】
【０００１】  本考案は、顔等の肌の色を、他人の手を借りること無く簡単に測定することが可能で、美しい化粧や、似合う服装に寄与できる、測色孔の周囲に複数の色票を配置し、測色孔の中、あるいは周囲の肌の色と色票の視感同定を行うことができる肌色色票集である。【０００２】  化粧を行う際に、化粧が不自然にならないように、肌の色を予め測定しておき、自分の肌の色に調和するファンデーション等の化粧品や、服装の色を選ぶことが必要であり、そのための肌色測定を、鏡の前で、中央に測色孔があり周囲に複数の肌色色票を配置した本考案の肌色色票集を当て、測色孔の中の肌の色と周囲の肌色色票を、視感で同定することによって、自分の肌の色の色相・明度・彩度の傾向を把握すると共に、化粧の仕上がり色を確認することができるようにする。【０００３】  測色孔および、本考案の肌色色票集の外縁に色票を密接させることにより、比較する二色は密着させて観察するという視感測色の原則に即したものとする。【０００４】  本考案の肌色色票集の、色彩構成は、色の三属性である色相・明度．彩度の各々についてレベルを設定して組合せて決める。例えば、色相３レベル、明度５レベル、彩度３レベルとした場合は、組合せると４５色構成の肌色色票集となる。
【先行技術文献】
【０００５】
【非特許文献】
【非特許文献】  一般財団法人日本色彩研究所発行「改訂版スキントーンカラー」（１４５色）  「好ましい肌色を規定する要因の解析ＩＩＩ」鈴木恒男．日本色彩学会誌Ｖｏｌ．２２  Ｎｏ．２  １９９８  「肌色を科学する」吉川拓伸．日本色彩学会誌Ｖｏｌ．２９  Ｎｏ．１  ２００５  「肌色の再現」鈴木恒男．日本色彩学会誌Ｖｏｌ．２９  Ｎｏ．１  ２００５  「色の白いは七難隠す」棟方明博．吉川拓伸．日本色彩学会誌Ｖｏｌ．２９  Ｎｏ．１  ２００５
【考案の概要】
【考案が解決しようとする課題】
【０００６】  肌の色は、半透明の皮膚の下に毛細血管などが分布しており、皮膚内の吸収光が多く、反射光が少なく、また、接触測定式の色彩計を接触させると血流の変化が起こり、目で見た色との差が大きく出るため、肌の色は色彩計では正確な色彩測定が出来ないとされているために、肌の色の測定には、肌色色票を軽く当てる視感測色が用いられているが、一般の肌色色票はブック形式となっており、自分の顔色を測定するのには向いていない。
肌色色票の背景色は、肌の色との色対比が少ない色が望ましい。【０００７】  肌色色票は、狭い色彩領域の中の多色を正確に表現する必要があり、印刷等の手段では、色の表現精度を保持することは困難であるため、塗装色票を使用する。各色は色の三属性（マンセル値）で規定するが、色の許容差は小さく保たれねばならない。【０００８】  化粧台の周囲では、粉体や液体の化粧品が使われるために、汚れた際に清拭が容易で、耐水性と耐久性に優れた材質を用いて製品化する必要がある。
【課題を解決するための手段】
【０００９】  本考案は、マンセル値で規定した正確な塗装色票を用い、各色票の色の許容差は、「ＪＩＳＺ８７２１  色の表示方法−三属性による表示」に用いられている色の許容差と同等とする。
色相については、ΔＨ＝±４／Ｃに相当するΔｘ、Δｙの値。
明度については、ΔＶ＝±０．１に相当するΔＹの値。
彩度については、ΔＣ＝±０．４に相当するΔｘ、Δｙの値。【００１０】  肌色色票の背景色となる台紙の色は、肌の色や肌色色票との対比が少ない色とするために、肌の色に近似した統一色か無色透明を選択する。【００１１】  肌色色票は、耐光性に優れた合成樹脂塗料を、耐水性に優れた台紙に塗装して、型抜きを行った後、複数の頁を回転できるように、一個のネジや鳩目、紐等で留めて仕上げる。
【考案の効果】  顔等の肌の色を、他人の手を借りること無く測定が可能な、測色孔の周囲に複数の色票を配し、測色孔の中、あるいは周囲の肌色と色票の視感同定を行うことができる、使い勝手に優れた肌色色票集が制作できる。
【図面の簡単な説明】
【００１２】
【図１】本考案の肌色色票集の単位頁の台紙の平面図である。
【考案を実施するための形態】
【００１３】  本考案の肌色色票集は、多角形あるいは円形の台紙の中央に、多角形あるいは円形の測色孔を空け、その周囲に複数の肌色色票を塗装し、台紙の下部の柄となる面状突起の先端に円形の孔を空けて複数の頁をネジ等で綴じて、回転できるうえ、必要に応じ、ネジ等を外して個別の頁でも使えるようにした形態を基本とする。
測色孔の大きさは、視感色彩測定の基準とされる明視の距離で、２度視野から１０度視野の間の面積とする。
全体の大きさは顔面の測定に相応しいものとする。
【実施例】
【００１４】  台紙に合成樹脂塗料で塗装することにより、耐水性と耐久性に優れ、汚れた際に清拭が容易な色彩精度の高い肌色色票集を作る。
測色時の肌の色との色対比を少なくするために、肌色色票の背景色は肌の色に近似した統一色とする。
例えば、１枚の５角形の測色孔の周囲に、明度５．６、６．０、６．４、６．８、７．２の５色の肌色色票を装着したものを１頁とする。
各頁は、色相レベルと彩度レベルを組合せたものとする。即ち色相２ＹＲ、５ＹＲ、８ＹＲの各々に対し彩度３．６、４．２、５．０を組合せた９枚の台紙を使って４５色の肌色色票を全て収容する。
この９枚をネジ等で綴じることにより、回転させて使えるとともに、ネジ等を外して個別の頁でも使えるように操作性を向上させた目的の肌色色票集が完成する。
以下、添付図面に従って実施例を説明する。図１は台紙のレイアウトの一例である。
【符号の説明】
【００１５】１  台紙
２  測色孔
３  肌色色票
４  色相レベルの表示
５  彩度レベルの表示
６  明度レベルの表示
７  面状の柄
８  ネジあるいは鳩目と孔
【図１】
0003187516.tif 000003
【手続補正書】
【提出日】平成25年9月13日(2013.9.13)
【手続補正１】
【補正対象書類名】実用新案登録請求の範囲
【補正対象項目名】全文
【補正方法】変更
【補正の内容】
【実用新案登録請求の範囲】
【請求項１】
顔等の肌の色彩を、他人の手を借りること無く簡単に測定が可能な、美しい化粧や、似合う服装に寄与する、測色孔の周囲に複数の塗装により作成した肌色色票を配置し、測色孔の中、あるいは周囲の肌の色と肌色色票の視感同定を行うことができる肌色色票集で、使いやすさを高めるために、回転出来るように複数の頁を一個のネジ・鳩目・紐などにより綴じた肌色色票集。